(57)【要約】【課題】最適な作動周波数の振動を発生することができる噴霧器の圧電アクチュエーターシステムを提供する。【解決手段】少なくとも周波数発生ユニット、制御インターフェース及び圧電アクチュエーションパーツを含み、周波数発生ユニットは少なくともある周波数値の電気信号を発生し、制御インターフェースは周波数発生ユニットに電気的に連接し、周波数発生ユニットが提供する電気信号を使用者がインプット或いは選択することにより、該周波数発生ユニットは該制御インターフェースのインプット或いは選択に基づき、特定周波数値の電気信号を発する。これにより該圧電アクチュエーションパーツは該特定周波数値の電気信号を受信し、最適な作動周波数の振動を発生する。【選択図】  図２
2008178503.tif 000002
【特許請求の範囲】
【請求項１】
主に噴霧器上に用い、圧電アクチュエーターシステムは少なくとも周波数発生ユニット、制御インターフェース、圧電アクチュエーションパーツを含み、
該周波数発生ユニットは少なくともある周波数値の電気信号を発生し、
該制御インターフェースは該周波数発生ユニットに電気的に連接し、該各電気信号をインプット或いは選択し、しかも該周波数発生ユニットは該制御インターフェースのインプット或いは選択に基づき、特定周波数値の電気信号を発し、
該圧電アクチュエーションパーツは該特定周波数値の電気信号を受信し、振動を発生することを特徴とする噴霧器の圧電アクチュエーターシステム。
【請求項２】
前記周波数発生ユニットは信号拡大ユニットを通して、該電気信号を該圧電アクチュエーションパーツに伝送することを特徴とする請求項１記載の噴霧器の圧電アクチュエーターシステム。
【請求項３】
前記制御インターフェースはプッシュボタン或いはスイッチ或いは多段階式スライドスイッチ或いは回転スイッチであることを特徴とする請求項１記載の噴霧器の圧電アクチュエーターシステム。
【請求項４】
主に噴霧器上に用い、圧電アクチュエーターシステムは少なくとも処理ユニット、周波数発生ユニット、制御インターフェース、圧電アクチュエーションパーツを含み、
該処理ユニットは少なくとも１個の制御信号を提供し、
該周波数発生ユニットは該処理ユニットに電気的に連接し、しかも該周波数発生ユニットは少なくともある周波数値の電気信号を発生し、
該制御インターフェースは該処理ユニットに電気的に連接し、該各制御信号をインプット或いは選択可能で、該周波数発生ユニットは該制御信号に基づき特定周波数値の電気信号を発し、
該圧電アクチュエーションパーツは該特定周波数値の電気信号を受信し、振動を発生することを特徴とする噴霧器の圧電アクチュエーターシステム。
【請求項５】
前記周波数発生ユニットは信号拡大ユニットを通して、該電気信号を該圧電アクチュエーションパーツに伝送することを特徴とする請求項４記載の噴霧器の圧電アクチュエーターシステム。
【請求項６】
前記制御インターフェースはプッシュボタン或いはスイッチ或いは多段階式スライドスイッチ或いは回転スイッチであることを特徴とする請求項４記載の噴霧器の圧電アクチュエーターシステム。
【請求項７】
前記圧電アクチュエーションパーツは該電気信号に基づき対応フィードバック電気信号を発生することを特徴とする請求項４記載の噴霧器の圧電アクチュエーターシステム。
【請求項８】
前記処理ユニットはフィードバック信号受信ユニットを通して、該圧電アクチュエーションパーツが伝送する該フィードバック電気信号を受信することを特徴とする請求項７記載の噴霧器の圧電アクチュエーターシステム。
【請求項９】
前記圧電アクチュエーターシステムはさらに保護ユニットを含むことを特徴とする請求項４記載の噴霧器の圧電アクチュエーターシステム。
【請求項１０】
前記処理ユニットは該圧電アクチュエーションパーツのフィードバック電気信号を探知し、これにより該保護ユニットは保護警告或いは保護動作を起動するかどうかを確認することを特徴とする請求項９記載の噴霧器の圧電アクチュエーターシステム。
【請求項１１】
前記保護警告或いは保護動作は表示警告或いはブザー警告或いは該噴霧器電源の閉鎖或いは点灯警告であることを特徴とする請求項１０記載の噴霧器の圧電アクチュエーターシステム。
【請求項１２】
前記処理ユニットは該フィードバック電気信号に基づき該周波数発生ユニットに対して微調整制御信号を自動的に発することを特徴とする請求項７記載の噴霧器の圧電アクチュエーターシステム。
【発明の詳細な説明】
【技術分野】
【０００１】
本発明は一種の噴霧器用圧電アクチュエーターシステムに関し、特に、医療等の噴霧器に用いる圧電アクチュエーターシステムで、制御インターフェースを増設し医療薬液等を噴霧する圧電アクチュエーションパーツを駆動する技術分野に関する。
【背景技術】
【０００２】
従来公知の医療薬液等を噴霧する噴霧器の圧電アクチュエーターシステムは、図１のブロックチャートに示すように、圧電アクチュエーターシステム1が、少なくとも処理器10、周波数発生器11、信号拡大器12及び圧電アクチュエーションパーツ13から構成されている。該処理器10は所定の制御信号101を該周波数発生器11に発信し、該周波数発生器11は該所定の制御信号101に基づき、該信号拡大器12を通して所定の周波数の電気信号121を該圧電アクチュエーションパーツ13に発信する。続いて、該圧電アクチュエーションパーツ13は該所定の周波数の電気信号121を受信し、振動を発生し、該圧電アクチュエーションパーツ13には所望の医薬液体等が供給され、供給された該液体が圧電アクチュエーションパーツ13により空気中に噴霧され、こうして噴霧器は正常に作動する。
しかし、該各噴霧器が使用する圧電アクチュエーションパーツ13はそのパーツ特性上いくらかの差異があるため、予め設定する必要のある制御信号101、或いは予め設定する必要のある周波数、或いは必要な電気信号121はみな噴霧器製品の出荷前に予め設定し、或いは噴霧器製品の出荷後には該圧電アクチュエーションパーツは時間に従い材質が変化するため、微調整が必要である。こうして噴霧器上の圧電アクチュエーションパーツ13に最適な周波数の作動状態を確保させなければならない。
【特許文献１】特表平１１−５０４５６７号公報
【特許文献２】特開２００３−２４４４２号公報
【発明の開示】
【発明が解決しようとする課題】
【０００３】
公知構造には以下の欠点があった。
公知技術では隨時手動調整しかも即時自動微調整ができず、かつ噴霧器が故障或いは作動が異常である時にも適当な保護警告或いは保護動作等を提供することができないなどの各項問題に鑑み、本発明人は噴霧器上の圧電アクチュエーターシステム研究開発と多くの実務経験に基づき、微調整が簡単にできる噴霧器上に用いる圧電アクチュエーターシステムで、上述した従来の構造の問題点を解決した噴霧器の圧電アクチュエーターシステムを提供するものである。
【課題を解決するための手段】
【０００４】
上記課題を解決するため、本発明は下記の圧電アクチュエーターシステムを提供する。
それは、主に噴霧器上に用いる圧電アクチュエーターシステムを提供し、すなわち、その圧電アクチュエーターシステムは少なくとも周波数発生ユニット、制御インターフェース及び圧電アクチュエーションパーツを含み、該周波数発生ユニットは少なくともある周波数値の電気信号を発生し、該制御インターフェースは一般のプッシュボタン或いはスイッチ或いは多段階式スライドスイッチ或いは回転スイッチで、しかも該制御インターフェースは該周波数発生ユニットに電気的に連接する他に、使用者に該周波数発生ユニットが提供する電気信号のインプット或いは選択を提供し、この後、該周波数発生ユニットは上記制御インターフェースのインプット或いは選択に基づき、特定周波数値の電気信号を発信し、最後に、該圧電アクチュエーションパーツは初めて該特定周波数値の電気信号を受信し、これにより最適作動周波数の振動を発生する。
ここでの該周波数発生ユニットは、信号拡大(増幅)ユニットを通して該特定周波数値の電気信号を該圧電アクチュエーションパーツに伝送することができ、また、本発明はさらに別種の圧電アクチュエーターシステムを提供し、それは少なくとも処理ユニット、周波数発生ユニット、制御インターフェース及び圧電アクチュエーションパーツを含み、該処理ユニットは少なくとも１個の制御信号を提供し、該周波数発生ユニットは該処理ユニットに電気的に連接し、しかも該周波数発生ユニットは少なくともある周波数値の電気信号を発生し、該制御インターフェースは該処理ユニットに電気的に連接し、しかも該制御インターフェースは使用者に上記の制御信号のインプット或いは選択を提供し、該周波数発生ユニットは該制御信号に基づき特定周波数値の電気信号を発し、この後、該圧電アクチュエーションパーツは該特定周波数値の電気信号を受信し、最適作動周波数の振動を発生する。
ここでの周波数発生ユニットは信号拡大(増幅)ユニットを通して、該特定周波数値の電気信号を該圧電アクチュエーションパーツに伝送可能で、ここでの制御インターフェースはプッシュボタン或いはスイッチ或いは多段階式スライドスイッチ或いは回転スイッチであり、ここでの圧電アクチュエーターシステムはさらにフィードバック信号受信ユニット及び保護ユニットを含んでおり、該フィードバック信号受信ユニットは該処理ユニット及び該圧電アクチュエーションパーツに電気的に連接し、これにより該フィードバック信号受信ユニットは該圧電アクチュエーションパーツに電気信号としてフィードバック電気信号を発生させた後、該処理ユニットはさらに該フィードバック信号受信ユニットを通して該圧電アクチュエーションパーツが伝送するフィードバック電気信号を受信可能であり、これにより該処理ユニットは該フィードバック電気信号に基づき、保護ユニットを起動するか否かを判定するが、保護警告或いは保護動作を起動し、ここでの保護警告或いは保護動作は表示警告或いはブザー警告或いは該噴霧器電源の閉鎖或いは点灯警告であり、該処理ユニットはさらに該フィードバック電気信号に基づき、該周波数発生ユニットに対して即時性の微調整制御信号を自動的に発生させ、これにより該周波数発生ユニットは最適周波数値の電気信号を微調整し医療薬液を噴霧する該圧電アクチュエーションパーツに提供することを特徴とする圧電アクチュエーターシステムである。
【０００５】
すなわち、請求項１の発明は、主に噴霧器上に用い、圧電アクチュエーターシステムは少なくとも周波数発生ユニット、制御インターフェース、圧電アクチュエーションパーツを含み、該周波数発生ユニットは少なくともある周波数値の電気信号を発生し、該制御インターフェースは該周波数発生ユニットに電気的に連接し、該各電気信号をインプット或いは選択し、しかも該周波数発生ユニットは該制御インターフェースのインプット或いは選択に基づき、特定周波数値の電気信号を発し、該圧電アクチュエーションパーツは該特定周波数値の電気信号を受信し、振動を発生することを特徴とする噴霧器の圧電アクチュエーターシステムである。
請求項２の発明は、前記周波数発生ユニットは信号拡大ユニットを通して、該電気信号を該圧電アクチュエーションパーツに伝送することを特徴とする請求項１記載の噴霧器の圧電アクチュエーターシステムである。
請求項３の発明は、前記制御インターフェースはプッシュボタン或いはスイッチ或いは多段階式スライドスイッチ或いは回転スイッチであることを特徴とする請求項１記載の噴霧器の圧電アクチュエーターシステムである。
【０００６】
請求項４の発明は、主に噴霧器上に用い、圧電アクチュエーターシステムは少なくとも処理ユニット、周波数発生ユニット、制御インターフェース、圧電アクチュエーションパーツを含み、該処理ユニットは少なくとも１個の制御信号を提供し、該周波数発生ユニットは該処理ユニットに電気的に連接し、しかも該周波数発生ユニットは少なくともある周波数値の電気信号を発生し、該制御インターフェースは該処理ユニットに電気的に連接し、該各制御信号をインプット或いは選択可能で、該周波数発生ユニットは該制御信号に基づき特定周波数値の電気信号を発し、該圧電アクチュエーションパーツは該特定周波数値の電気信号を受信し、振動を発生することを特徴とする噴霧器の圧電アクチュエーターシステムである。
請求項５の発明は、前記周波数発生ユニットは信号拡大ユニットを通して、該電気信号を該圧電アクチュエーションパーツに伝送することを特徴とする請求項４記載の噴霧器の圧電アクチュエーターシステムである。
請求項６の発明は、前記制御インターフェースはプッシュボタン或いはスイッチ或いは多段階式スライドスイッチ或いは回転スイッチであることを特徴とする請求項４記載の噴霧器の圧電アクチュエーターシステムである。
請求項７の発明は、前記圧電アクチュエーションパーツは該電気信号に基づき対応フィードバック電気信号を発生することを特徴とする請求項４記載の噴霧器の圧電アクチュエーターシステムである。
請求項８の発明は、前記処理ユニットはフィードバック信号受信ユニットを通して、該圧電アクチュエーションパーツが伝送する該フィードバック電気信号を受信することを特徴とする請求項７記載の噴霧器の圧電アクチュエーターシステムである。
請求項９の発明は、前記圧電アクチュエーターシステムはさらに保護ユニットを含むことを特徴とする請求項４記載の噴霧器の圧電アクチュエーターシステムである。
請求項１０の発明は、前記処理ユニットは該圧電アクチュエーションパーツのフィードバック電気信号を探知し、これにより該保護ユニットは保護警告或いは保護動作を起動するかどうかを確認することを特徴とする請求項９記載の噴霧器の圧電アクチュエーターシステムである。
請求項１１の発明は、前記保護警告或いは保護動作は表示警告或いはブザー警告或いは該噴霧器電源の閉鎖或いは点灯警告であることを特徴とする請求項１０記載の噴霧器の圧電アクチュエーターシステムである。
請求項１２の発明は、前記処理ユニットは該フィードバック電気信号に基づき該周波数発生ユニットに対して微調整制御信号を自動的に発することを特徴とする請求項７記載の噴霧器の圧電アクチュエーターシステムである。
【発明の効果】
【０００７】
上記のように、本発明の噴霧器の圧電アクチュエーターシステムよれば、医薬液を噴霧する圧電アクチュエーションパーツの振動数を隨時手動調整が可能で、しかも、自動微調整により噴霧器中の圧電アクチュエーションパーツに最適の作動周波数を提供することができる。
【発明を実施するための最良の形態】
【０００８】
本発明の好適な噴霧器用の圧電アクチュエーターシステムを図面を参照して説明する。
図２は、本発明の実施例の噴霧器に用いる圧電アクチュエーターシステムの第一実施例のブロックチャートであるが、該噴霧器用の圧電アクチュエーターシステム2は少なくとも周波数発生器20、制御インターフェース21及び圧電アクチュエーションパーツ22から構成され、例えば、医療の液体を噴霧する為に用いいる。
該周波数発生器20は複数の周波数の電気信号201を備え、しかも該周波数発生器20は設定に基づき特定周波数の電気信号201を該圧電アクチュエーションパーツ22に発することができる。該圧電アクチュエーションパーツ22は通常は特定周波数(すなわち、作動周波数)の電気信号201を受信して、初めて正常に運転することができる。ここで、圧電アクチュエーションパーツ22には液体が供給され、該圧電アクチュエーションパーツ22が作動周波数で振動することにより液体が噴霧されるのは、公知機構と同じである。  該制御インターフェース21は通常はプッシュボタン或いはスイッチ或いは多段階式スライドスイッチ或いは回転スイッチで、しかも該周波数発生器20に電気的に連接し、これにより使用者は上記提供する複数の周波数の電気信号201をインプット或いは選択する。こうして該周波数発生器20は該制御インターフェース21の設定に基づき、最適作動周波数値の電気信号201を該圧電アクチュエーションパーツ22に発信する。
【０００９】
本発明の噴霧器に用いる圧電アクチュエーターシステム第二実施例のブロックチャートである図３に示すように、該圧電アクチュエーターシステム3は少なくとも周波数発生器30、信号拡大器31、制御インターフェース32及び圧電アクチュエーションパーツ33を含む。
該周波数発生器30は複数の周波数の電気信号311を備え、使用者は選択することができる。しかも該周波数発生器30は該信号拡大器31を通して特定周波数の電気信号311を該圧電アクチュエーションパーツ33に発信する。該圧電アクチュエーションパーツ33は通常は該特定周波数(すなわち、作動周波数)の電気信号311を受信し、初めて正常に運転することができる。
該制御インターフェース32は一般のプッシュボタン或いはスイッチ或いは多段階式スライドスイッチ或いは回転スイッチで、しかも該周波数発生器30に電気的に連接する。これにより使用者は該信号拡大器31が提供する電気信号311を通して該周波数発生器30をインプット或いは選択する。
該周波数発生器30は該制御インターフェース32の設定に基づき、該信号拡大器31を通して最適作動周波数値の電気信号311を該圧電アクチュエーションパーツ33に発信する。
【００１０】
本発明の噴霧器に用いる圧電アクチュエーターシステム第三実施例のブロックチャートである図４に示すように、圧電アクチュエーターシステム4は少なくとも処理器40、周波数発生器41、制御インターフェース42及び圧電アクチュエーションパーツ43を含む。
該処理器40は複数の制御信号401を備え使用者は選択することができる。しかも該処理器40は上記使用者の選択に基づき、特定の制御信号を周波数発生器41に発信する。
該周波数発生器41は該処理器40に電気的に連接し、しかも該周波数発生器41は上記特定の制御信号401に基づき、特定周波数の電気信号411を該圧電アクチュエーションパーツ43に発信する。該圧電アクチュエーションパーツ43は該特定周波数(すなわち、作動周波数)の電気信号411を受信すると、初めて正常に運転することができる。
本実施例中では、該制御インターフェース42はプッシュボタン或いはスイッチ或いは多段階式スライドスイッチ或いは回転スイッチである。しかも該処理器40に電気的に連接し、使用者は上記特定の制御信号401をインプット或いは選択することができる。これにより該周波数発生器41は該制御インターフェース42の設定に基づき、最適作動周波数値の電気信号411を該圧電アクチュエーションパーツ43に発信する。
【００１１】
本発明の噴霧器に用いる圧電アクチュエーターシステム第四実施例のブロックチャートである図５に示すように、圧電アクチュエーターシステム5は少なくとも処理器50、周波数発生器51、信号拡大器52、制御インターフェース53及び圧電アクチュエーションパーツ54を含む。
該処理器50は該周波数発生器51に電気的に連接し、しかも該処理器50は複数の制御信号501を備え、使用者は選択することができる。
該周波数発生器51は該信号拡大器52に電気的に連接し、これにより該周波数発生器51は初めて該信号拡大器52を通して、特定周波数の電気信号521を該圧電アクチュエーションパーツ54に発信することができる。しかも該圧電アクチュエーションパーツ54は通常は該特定周波数(すなわち、作動周波数)の電気信号521を受信し、初めて正常に運転することができる。
該制御インターフェース53はプッシュボタン或いはスイッチ或いは多段階式スライドスイッチ或いは回転スイッチである。しかも該処理器50に電気的に連接し、これにより使用者は上記特定の制御信号501をインプット或いは選択する。該周波数発生器51は該制御インターフェース53の設定に基づき、該信号拡大器52を通して最適作動周波数値の電気信号521を該圧電アクチュエーションパーツ54に発信する。
【００１２】
第五実施例のブロックチャートである図６に示すように、該圧電アクチュエーターシステム6は、さらにフィードバック信号受信器60と保護器61を含むように構成しているが、上記第三実施例、或いは、第四実施例である図４、図５は、第五実施例のブロックチャートの図６に示すように、該圧電アクチュエーターシステム4、5を、さらにフィードバック信号受信器60と保護器61を含むように構成しても良い。
本実施例中では、該フィードバック信号受信器60は該処理器40或いは50及び該圧電アクチュエーションパーツ43或いは54に電気的に連接し、これにより該フィードバック信号受信器60は該圧電アクチュエーションパーツ43或いは54を受信し、該電気信号411或いは521はフィードバック電気信号601を発信後、該処理器40或いは50は該フィードバック信号受信器60を通して、該圧電アクチュエーションパーツ43或いは54が伝送するフィードバック電気信号601を受信する。こうして、該処理器40或いは50は該フィードバック電気信号601に基づき、該保護器61を起動するか否かを確認し、保護警告或いは保護動作を始動する。
本実施例中では保護警告或いは保護動作は表示警告或いはブザー警告或いは該噴霧器電源の閉鎖或いは点灯警告である。
さらに、該処理器40或いは50はさらに該フィードバック電気信号601に基づき、自動的に該周波数発生器41或いは51に対して、即時性微調整制御信号602を発信し、これにより該周波数発生器41或いは51は最適周波数値の電気信号411或いは521を微調整し、該圧電アクチュエーションパーツ43或いは54に送る。
【００１３】
上記は本発明の最適実施例であり、周波数発生ユニット、制御インターフェース及び圧電アクチュエーションパーツから構成され、周波数発生ユニットは少なくとも所定の周波数値の電気信号を発生し、制御インターフェースは周波数発生ユニットに電気的に連接し、周波数発生ユニットが提供する電気信号を使用者がインプット或いは選択することにより、周波数発生ユニットが該制御インターフェースのインプット或いは選択に基づき、特定周波数値の電気信号を発し、これにより該圧電アクチュエーションパーツは該特定周波数値の電気信号を受信し、最適な作動周波数の振動を発生することができる。
本発明の特徴を損なうものでなければ、上記の実施例に限定さないことは勿論であり、本発明の精神と範疇を逸脱せず、本発明実施例中に記載するパーツはソフトウエア或いはハードウエア或いはファームウエア或いはそのあらゆる組合せにより、これらもすべて本発明の含まれることは勿論である。
【図面の簡単な説明】
【００１４】
【図１】公知技術中の圧電アクチュエーターシステムのブロックチャートである。
【図２】本発明の噴霧器の圧電アクチュエーターシステム第一実施例のブロックチャートである。
【図３】本発明の噴霧器の圧電アクチュエーターシステム第二実施例のブロックチャートである。
【図４】本発明の噴霧器の圧電アクチュエーターシステム第三実施例のブロックチャートである。
【図５】本発明の噴霧器の圧電アクチュエーターシステム第四実施例のブロックチャートである。
【図６】本発明の噴霧器の圧電アクチュエーターシステム第五実施例のブロックチャートである。
【符号の説明】
【００１５】
1  圧電アクチュエーターシステム
10  処理器
101  制御信号
11  周波数発生器
12  信号拡大器
121  電気信号
13  圧電アクチュエーションパーツ
2  圧電アクチュエーターシステム
20  周波数発生器
201  電気信号
21  制御インターフェース
22  圧電アクチュエーションパーツ
3  圧電アクチュエーターシステム
30  周波数発生器
31  信号拡大器
311  電気信号
32  制御インターフェース
33  圧電アクチュエーションパーツ
4  圧電アクチュエーターシステム
40  処理器
401  制御信号
41  周波数発生器
411  電気信号
42  制御インターフェース
43  圧電アクチュエーションパーツ
5  圧電アクチュエーターシステム
50  処理器
501  制御信号
51  周波数発生器
52  信号拡大器
521  電気信号
53  制御インターフェース
54  圧電アクチュエーションパーツ
6  圧電アクチュエーターシステム
60  フィードバック信号受信器
601  フィードバック電気信号
602  微調整制御信号
61  保護器
【図１】
2008178503.tif 000003
【図２】
2008178503.tif 000004
【図３】
2008178503.tif 000005
【図４】
2008178503.tif 000006
【図５】
2008178503.tif 000007
【図６】
2008178503.tif 000008